(57)【要約】【課題】新しい広告媒体を提案し、さらにこの媒体を使用してスキミング等を防止することを課題とする。【解決手段】スキミング防止用カード１は、表面シート６の間に電磁波・磁気遮蔽部材１０を挟み込み、三者を接着したものである。表面シート６は、例えば白色の塩化ビニルシートやＡＢＳ樹脂等であり、公知の手段によって表面に印刷をすることができる素材で作られている。スキミング防止用カード１は、広告宣伝用に使用されるものであり、表面に広告を印刷する。スキミング防止用カード１は、例えば街頭で無償配付される。【選択図】図１
2007188009.tif 000002
【特許請求の範囲】
【請求項１】
電磁波又は磁気の遮蔽が可能であり、表面に印刷可能なスキミング防止用カード。
【請求項２】
電磁波又は磁気の遮蔽が可能であり、表面に広告が印刷されたスキミング防止用カード。
【請求項３】
電磁波又は磁気の遮蔽が可能なスキミング防止用カードに広告を印刷し、前記カードを無料又は有料で配付することを特徴とする広告方法。
【請求項４】
カード収容部と、写真撮影部と、前記写真撮影部で撮影した写真をカードに印刷する印刷部と、印刷されたカードを排出するカード排出部を備え、前記カード収容部には、電磁波又は磁気の遮蔽が可能であり、表面に印刷可能なスキミング防止用カードが収容されていることを特徴とするカード印刷装置。
【発明の詳細な説明】
【技術分野】
【０００１】
本発明は、クレジットカード等から個人情報を盗まれることを防止するカードに関するものである。また本発明は、スキミング防止用カードを使用した広告方法に関するものである。さらに本発明は、スキミング防止用カードに印刷を施すカード印刷装置に関するものである。
【０００２】
店舗を新装開店した際や新規の顧客を開拓したい場合には、利用者にサービス内容等を周知するために広告が行われる。例えば街頭でパンフレットや簡単な商品を配付する。また来客に再度の来店を促すために簡単な商品を渡す場合もある。配付する商品は、マッチとティッシュペーパが代表的である。また最近では、テレホンカード等のプリペイドカードが広告用の商品として利用される場合もある。
【特許文献１】特開平７−３００３８４号公報
【発明の開示】
【発明が解決しようとする課題】
【０００３】
上記した様に、広告等のために配付される商品としては、マッチとティッシュペーパ及びテレホンカードが代表的であるが、これらの商品を渡すことによる広告効果には疑問がある。
即ち、マッチ等には店舗の名称や電話番号が記載されているが、マッチ等を受け取った者は、当該マッチやティッシュペーパを常時携帯しているわけではない。
マッチは、消耗品であるから、数回、煙草を吸う際に使用し、マッチが無くなると箱ごと廃棄される。従って配付された者が当該マッチを保持しているのはせいぜい一週間である。ティッシュペーパに至っては、より消耗が激しく、一回の使用で殆ど廃棄される。そのため配付された者が保持しているの帰宅までの間に過ぎない。
テレホンカードは、やや長期に渡って保持されるが、それでも１か月程度である。
【０００４】
そのため、配付を受けたものが当該施設を利用する必要がある時には、すでにマッチ等は手元にない。
【０００５】
話は変わるが、近年、キャッシュカードや銀行カード等のカードが普及している。
これらのカードには、ＩＣチップ等が埋め込まれたものがある。ＩＣチップ等には口座情報や暗証番号等の重要な情報が記録されている。
ところで、近年、スキミングと称される不正行為が問題となっている。スキミングは、他人のカードから口座情報や暗証番号等を読み出し、預金を引き出したり物品を購入する行為である。
本出願時において、スキミング犯の検挙数は少なく、その手口は定かではない。しかしながら、ＩＣチップが埋め込まれたカードには非接触形のものもあり、当該非接触形のカードについては、通勤途上の混雑に紛れてのスキミングが可能ではないかと言われている。即ち非接触形のカードは、樹脂カードにコイルとＩＣチップが埋め込まれており、コイルに磁界を与えることで誘導電流を起こしてＩＣチップのデータを読みだすことができる。そのため所定の機能を備えたカードリーダを近づけるだけでＩＣチップに記録された口座情報や暗証番号等を読み取ることができる。
【０００６】
従って満員電車の中の様に他人と近接した状態にある場合、近接した位置に居る者がカードリーダを保持しておれば、カードの口座番号等を盗み取られる可能性がある。また近年、カードリーダの性能が向上し、カードと同等サイズのカードリーダも市販されている。この様な現状から、スキミングに対する不安が高く、スキミングを防止する対策が望まれている。
【０００７】
そこで本発明は、上記した現状を踏まえ、新しい広告媒体を提案し、さらにこの媒体を使用してスキミング等を防止することを課題とする。
【課題を解決するための手段】
【０００８】
そして上記した課題を解決するための請求項１に記載の発明は、電磁波又は磁気の遮蔽が可能であり、表面に印刷可能なスキミング防止用カードである。
【０００９】
本発明のスキミング防止用カードは、表面に印刷することが可能であるから、広告内容や電話番号等を印刷することができる。
また本発明のスキミング防止用カードは、電磁波又は磁気の遮蔽が可能であるから、クレジットカード等と一緒に財布やカード入れに入れておけばスキミングを防止することができる。本発明のスキミング防止用カードは効果や機能が減ずることはないから、長期に渡ってサイフに入れておかれることが期待できる。
そのため本発明のスキミング防止用カードは、広告宣伝効果が高い媒体となり得る。
【００１０】
請求項２に記載の発明は、電磁波又は磁気の遮蔽が可能であり、表面に広告が印刷されたスキミング防止用カードである。
【００１１】
本発明のスキミング防止用カードは、表面に広告が印刷されている。また本発明のスキミング防止用カードについても長期に渡ってサイフに入れておかれることが期待できる。
【００１２】
請求項３に記載の発明は、電磁波又は磁気の遮蔽が可能なスキミング防止用カードに広告を印刷し、前記カードを無料又は有料で配付することを特徴とする広告方法である。
【００１３】
本発明の広告方法では、広告を印刷したスキミング防止用カードを使用し、このカードを配付する。カードを受け取った者は、長く財布等にいれておくことであろうから、広告宣伝効果が高い。
【００１４】
上記したスキミング防止用カードは広告宣伝用に開発されたものであるが、もちろん広告を目的とせずに使用してもよい。
例えば上記したスキミング防止用カードに使用者の顔写真を印刷してもよい。
請求項４に記載の発明は、スキミング防止用カードに写真を印刷するための装置であり、カード収容部と、写真撮影部と、前記写真撮影部で撮影した写真をカードに印刷する印刷部と、印刷されたカードを排出するカード排出部を備え、前記カード収容部には、電磁波又は磁気の遮蔽が可能であり、表面に印刷可能なスキミング防止用カードが収容されていることを特徴とする。
【００１５】
本発明によると、スキミング防止用カードに顔写真等を印刷することができるので、自己の顔写真や友人、恋人、子供等の写真を印刷することができ、これを常時持ち歩くことによってスキミングを防止することができる。
【発明の効果】
【００１６】
本発明のスキミング防止用カードは、電磁波等を遮蔽することができ、スキミングによる情報の盗用を防止することができる効果がある。また本発明のスキミング防止用カードは、長期に渡って携行されることが期待できるので、広告宣伝媒体として有効である。
【発明を実施するための最良の形態】
【００１７】
以下さらに本発明の実施形態について説明する。
図１は、本発明のスキミング防止用カードの斜視図である。図２は、スキミング防止用カードの断面図である。図３は、図１のスキミング防止用カードに内蔵される電磁波・磁気遮蔽部材の断面図である。図４は、広告が印刷されたスキミング防止用カードの正面図である。図５は、名刺として使用されるスキミング防止用カードの正面図である。
【００１８】
本実施形態のスキミング防止用カード１は、図２の様な表面シート６の間に電磁波・磁気遮蔽部材１０を挟み込み、三者を接着したものである。
表面シート６は、例えば白色の塩化ビニルシートやＡＢＳ樹脂等であり、公知の手段によって表面に印刷をすることができる素材で作られている。
【００１９】
電磁波・磁気遮蔽部材１０は、板状またはフィルム状であり、アルミニウム等の金属フィルムや、金属と樹脂との積層シートである。
電磁波・磁気遮蔽部材１０は、例えばスナック菓子の袋の素材と同等のものであり、図３の様にアルミニウム層１２（アルミニウム蒸着層）と樹脂層１３が積層されたものである。
ここでアルミニウム層１２（アルミニウム蒸着層）の厚さは、８μｍ以上であることが望ましく、さらに１８μｍ以上であることが推奨される。即ちアルミニウム層１２（アルミニウム蒸着層）の厚さが、８μｍ未満である場合は、電磁波を遮蔽する機能が十分ではない。アルミニウム層１２（アルミニウム蒸着層）の厚さが、１８μｍ以上であれば、相当の強度を有する電磁波であっても遮蔽することができ、信頼性が高い。
上記した電磁波・磁気遮蔽部材１０は、２層構造であるが、３層以上の構成であってもよい。３層以上の構成を持つ例については後記する。
【００２０】
樹脂層の素材は任意であり、公知の樹脂であってフィルム化が可能なものであれば良い。例えばセロハン、ポリエチレン、延伸ポリプロピレン、無延伸ポリプロピレン、ポリエチレンテレフタレート，ポリ塩化ビニリデンコート二軸延伸ポリプロピレン、Ｋコートポリエチレンテレフタレート、エチレンビニルアルコール共重合体等の樹脂を使用することができる。
また挟み込まれる電磁波・磁気遮蔽部材１０は、複数枚であってもよい。
【００２１】
本実施形態のスキミング防止用カード１は、広告宣伝用に使用されるものであり、表面に広告を印刷する。例えば図４に示すスキミング防止用カード２の様に店舗名、サービス内容、住所、電話番号等を印刷する。また図５に示すスキミング防止用カード３の様に名刺の代わりに使用してもよい。
スキミング防止用カード１は、例えば街頭で無償配付される。図５の様な名刺形式の場合には、営業先で名刺を配付する。またこの時、スキミング防止用カード１，２，３の機能を説明しておく。
【００２２】
スキミング防止用カード１を貰った者は、カード入れや財布に入れて携行するであろうと予想される。
スキミング防止用カード１は、電磁波・磁気遮蔽部材１０が内蔵されているので、クレジットカード等から発せられる電磁波が減衰され、スキミングされにくい。またスキミング防止用カード１は、電磁波・磁気遮蔽部材１０が内蔵されているので、外部のリーダが発する磁気の影響を軽減することができ、外部の磁気にクレジットカード等が反応することが阻止され、スキミングされにくい。
【００２３】
次に電磁波・磁気遮蔽部材１０の変形例について説明する。図６乃至１１は、電磁波・磁気遮蔽部材の変形例の拡大断面図である。
電磁波・磁気遮蔽部材１０は３層以上の構成であってもよいという点については前記したが、具体的には図６乃至１１に示す様な層構成のものが推奨される。
即ち図６に示す電磁波・磁気遮蔽部材１０は、ポリエチレンテレフタレート又はポリエチレン等の樹脂層１３を挟んで２層のアルミニウム層１２（アルミニウム蒸着層）が設けられ、さらにその外側に樹脂層１３が積層され、最も外層の二面にカーボン層８０が積層されたものである。樹脂層１３の厚さは、２０〜３０μｍであり、アルミニウム層１２（アルミニウム蒸着層）は１００〜５００オングストローム程度である。
なおアルミニウム層１２（アルミニウム蒸着層）に代わってアルミニウム箔を採用し、アルミニウム箔と樹脂層１３とを、接着剤等で貼り合わせてもよい。
両面のカーボン層８０は、いずれも共役二重結合の炭素化合物を含む。
共役二重結合の炭素化合物は、電磁波を吸収する機能があり、カードから漏洩する電磁波を吸収する。
【００２４】
図７に示す電磁波・磁気遮蔽部材１０は、異種の金属層を有するものであり、アルミニウム層１２（アルミニウム蒸着層）に銅又は銀の層８５が積層されている。銅又は銀の層８５は、蒸着によって接合されてもよく、また予め金属箔化した後に、接着剤等で張り合わせてもよい。本実施形態では、アルミニウム層１２（アルミニウム蒸着層）と銅又は銀の層８５は接着剤（図示せず）で貼り合わされている。
【００２５】
本実施形態では、異種金属の層を有するものであり、いずれの周波数であっても高い電磁波遮蔽機能を有する。即ち電磁波を遮蔽する能力は、遮蔽しようとする電磁波の周波数の影響を受けるが、周波数と遮蔽能力との関係は、金属ごとに異なる。例えばアルミニウムは、周波数の上昇と共に遮蔽能力も上昇するが、周波数がある一定値以上となると、遮蔽能力が極端に低下する。これに対して、銀では大きな能力低下が見られない。一方、アルミニウムは安価であり、銀は高価である。
本実施形態では、アルミニウムの層と銀の層とを設けたので、周波数の影響が軽減され、いずれの周波数領域においても安定した遮蔽機能を発揮する。
【００２６】
図８に示す電磁波・磁気遮蔽部材１０は、さらに鉄層８２を設けたものである。即ち図８に示す電磁波・磁気遮蔽部材１０は、アルミニウム層１２（アルミニウム蒸着層）、銀層８１及び鉄層８２が設けられている。これらの金属層１２，８１，８２の間には、ポリエチレンテフタレート等の樹脂層１３が設けられ、さらに最も外面には、ポリエチレンテフタレート等の樹脂層１３を介してカーボン層８０が設けられているる
本実施形態の電磁波・磁気遮蔽部材１０は、鉄層８２が設けられているので、磁気を遮蔽することもできる。さらに鉛の層を追加してもよい。また鉄層８２や銀層８１に代わって鉛層を設けてもよい。
【００２７】
上記した例は、いずれも複雑な積層構造を有するものであるが、図９に示す様なアルミニウム層１２（アルミニウム蒸着層）の片面にカーボン層８０を積層し、他面に樹脂層１３を積層した様なものであってもよい。また図１０の様にアルミニウム層１２（アルミニウム蒸着層）に代わって銅又は銀の層８５を設け、片面にカーボン層８０を積層し、他面に樹脂層１３を積層した様なものでもよい。さらに図１１の様にアルミニウム層１２（アルミニウム蒸着層）に代わって鉄層８２を設け、片面にカーボン層８０を積層し他面に樹脂層１３を積層した様なものであってもよい。銅又は銀の層８５、鉄層８２に代わって鉛層を設けてもよい。
【００２８】
以上説明した実施形態では、電磁波・磁気遮蔽部材１０としてラミネートされた積層フィルムを使用したが、アルミや銅等の金属フィルムをラミネートしたものであってもよく、アルミや銅等の金属板を電磁波・磁気遮蔽部材１０として使用することもできる。
【００２９】
次に本発明のスキミング防止シートの他の用途について説明する。
本発明のスキミング防止シートは、広告媒体として開発されたものであるが、本発明は、他の用途にスキミング防止シートを使用することを制限するものではない。例えば趣味的な用途にスキミング防止シートを使用することもできる。
具体的には恋人や子供の写真を印刷し、財布等に入れて持ち歩くための用途が考えられる。
【００３０】
図１２は、スキミング防止用カードに写真を印刷するために使用されるカード印刷装置の斜視図である。
図に示すカード印刷装置２０は、例えばゲームセンター等に設置される。即ち近年、ポイントカードを発行するゲームセンターがあり、ゲームをするごとにポイントが増える。そしてポイントの増加によって各種のサービスを受けることができる。
【００３１】
またテレビゲーム等の遊具によっては使用者の履歴等を記録したカードを発行するものがある。例えば過去に行ったゲームの点数や、ゲーム中に対戦したキャラクターの種類、キャラクターを倒したことによって得られるポイントや、ゲーム中で使用することが許された武器等の情報がカードに記録される。
そのためゲームの使用者は、自己のポイントをスキミングによって盗まれることを心配する。そこでゲームセンター等にカード印刷装置を設置すると、この需要に応えることがことができる。
【００３２】
カード印刷機２０は、撮影用カメラ２１と、モニター画面２２、操作パネル２３を備える。
筐体２５の内部にはカード収容部２６があり、当該カード収容部２６に無地のスキミング防止用カードが収納されている。また筐体２５の内部にはプリンター２７（印刷部）が内蔵されている。
筐体２５の外面には印刷したスキミング防止用カードを取り出すための取り出し口２８がある。
【００３３】
使用者は、撮影用カメラ２１の前に立ち、モニター画面を見ながら構図を考える。また記入したい文字やその他の装飾を操作パネル２３を操作することによって入力する。
そして内部のプリンター２７（印刷部）で無地のスキミング防止用カードに写真を印刷する。出来上がったスキミング防止用カード５は、取り出し口２８から排出される。
【００３４】
取り出されたスキミング防止用カード５は例えば図１３の様に使用者の顔写真が印刷されたものである。
【図面の簡単な説明】
【００３５】
【図１】本発明のスキミング防止用カードの斜視図である。
【図２】スキミング防止用カードの断面図である。
【図３】図１のスキミング防止用カードに内蔵される電磁波・磁気遮蔽部材の断面図である。
【図４】広告が印刷されたスキミング防止用カードの正面図である。
【図５】名刺として使用されるスキミング防止用カードの正面図である。
【図６】電磁波・磁気遮蔽部材の変形例の拡大断面図である。
【図７】電磁波・磁気遮蔽部材の他の変形例の拡大断面図である。
【図８】電磁波・磁気遮蔽部材のさらに他の変形例の拡大断面図である。
【図９】電磁波・磁気遮蔽部材のさらに他の変形例の拡大断面図である。
【図１０】電磁波・磁気遮蔽部材のさらに他の変形例の拡大断面図である。
【図１１】電磁波・磁気遮蔽部材のさらに他の変形例の拡大断面図である。
【図１２】スキミング防止用カードに写真を印刷するために使用されるカード印刷装置の斜視図である。
【図１３】写真が印刷されたスキミング防止用カードの正面図である。
【符号の説明】
【００３６】
１，２，３，５  スキミング防止用カード
６  表面シート
１０  電磁波・磁気遮蔽部材
１２  アルミニウム箔層
１３  樹脂層
２０  カード印刷装置
２１  撮影用カメラ
２２  モニター画面
２３  操作パネル
２５  筐体
２６  カード収容部
２７  プリンター（印刷部）
２８  取り出し口
【図１】
2007188009.tif 000003
【図２】
2007188009.tif 000004
【図３】
2007188009.tif 000005
【図４】
2007188009.tif 000006
【図５】
2007188009.tif 000007
【図６】
2007188009.tif 000008
【図７】
2007188009.tif 000009
【図８】
2007188009.tif 000010
【図９】
2007188009.tif 000011
【図１０】
2007188009.tif 000012
【図１１】
2007188009.tif 000013
【図１２】
2007188009.tif 000014
【図１３】
2007188009.tif 000015